(57)【特許請求の範囲】
【請求項１】
天井から吊り下げて使用される広告表示装置であって、
電子表示部と、
前記電子表示部の表示を制御する制御部と、
前記電子表示部の電源として機能する電源部と、
前記電子表示部、前記制御部、及び前記電源部が設けられる基板と、
を有し、
前記制御部及び前記電源部は、前記基板の吊り下げ方向における前記基板の中心よりも前記天井に近い位置に配置されることを特徴とする広告表示装置。
【請求項２】
前記基板は、前記天井に備え付けられた留め具に取り付け自在であって、
前記制御部及び前記電源部は、前記留め具に前記基板を取り付けた状態で前記留め具の近傍に位置することを特徴とする請求項１に記載の広告表示装置。
【請求項３】
前記制御部及び前記電源部は、前記広告表示装置の左右の重心が均等となるように配置されることを特徴とする請求項１または２に記載の広告表示装置。
【請求項４】
前記制御部及び前記電源部は、前記電子表示部と反対側の前記基板の面に設けられることを特徴とする請求項１〜３のいずれか一項に記載の広告表示装置。
【請求項５】
前記基板は、広告紙を取り外し自在に保持する保持部を有し、
前記電子表示部は、前記広告紙が前記保持部により保持された状態で前記広告紙と重ならないことを特徴とする請求項１〜４のいずれか一項に記載の広告表示装置。
【請求項６】
前記基板は、前記広告紙を前記保持部により保持した状態で前記広告紙と接触する領域の少なくとも一部が粘着性を有することを特徴とする請求項５に記載の広告表示装置。
【請求項７】
請求項１〜４のいずれか一項に記載の広告表示装置と、
前記広告表示装置に取り付け自在な広告紙と、を有する広告表示媒体であって、
前記基板は、前記広告紙を取り外し自在に保持する保持部を有し、
前記広告紙は、前記保持部により保持された状態で前記電子表示部と重ならない形状を有することを特徴とする広告表示媒体。
【発明の詳細な説明】
【技術分野】
【０００１】
本発明は、広告を表示する技術に関する。
【背景技術】
【０００２】
従来から、電子表示部を用いた中吊り広告が提案されている。例えば、特許文献１には、有機ＥＬディスプレイを有し、制御ボードを収容する筺体が天井に取り付けられた中吊り広告用表示装置が開示されている。その他、動的な表現が可能な中吊り広告装置が特許文献２に開示されている。
【先行技術文献】
【特許文献】
【０００３】
【特許文献１】特開２００７−０２４９２２号公報
【特許文献２】実登第３１４００４４号公報
【発明の概要】
【発明が解決しようとする課題】
【０００４】
電子表示部を有する中吊り広告装置では、電源や制御部などの電子表示部の駆動部分での重量が大きいため、乗客との衝突を防いだり装置を安定的に吊したりする構造が必要となる。一方、特許文献１では、車両の天井に制御ボードを取り付けるため、車両側にも取り付け用の構造が必要となり、実用化を妨げる要因となる場合がある。
【０００５】
本発明は、上記のような課題を解決するためになされたものであり、安定的かつ安全に吊り下げ可能な広告表示装置を提供することを主な目的とする。
【課題を解決するための手段】
【０００６】
本発明の１つの観点では、天井から吊り下げて使用される広告表示装置であって、電子表示部と、前記電子表示部の表示を制御する制御部と、前記電子表示部の電源として機能する電源部と、前記電子表示部、前記制御部、及び前記電源部が設けられる基板と、を有し、前記制御部及び前記電源部は、前記基板の吊り下げ方向における前記基板の中心よりも前記天井に近い位置に配置される。
【０００７】
広告表示装置は、車両などの天井から吊り下げて使用され、電子表示部と、制御部と、電源部と、基板とを有する。そして、制御部及び電源部は、基板の吊り下げ方向における基板の中心よりも天井に近い位置に配置される。この態様によれば、比較的重量がある制御部と電源部とは、天井に近い基板の上部に配置される。これにより、人や荷物に制御部及び電源部が衝突する可能性を低減すると共に、広告表示装置を安定的に天井に対して吊り下げることができる。
【０００８】
上記広告表示装置の一態様では、前記基板は、前記天井に備え付けられた留め具に取り付け自在であって、前記制御部及び前記電源部は、前記留め具に前記基板を取り付けた状態で前記留め具の近傍に位置する。この態様では、留め具の近傍に制御部及び電源部の重心を配置する。これにより、人等に制御部及び電源部が衝突する可能性を低減すると共に、広告表示装置を安定的に吊り下げることができる。
【０００９】
上記広告表示装置の他の一態様では、前記制御部及び前記電源部は、前記広告表示装置の左右の重心が均等となるように配置される。ここで、「均等」とは、左右の重量が物理的に同一であることはもちろん、実質的に同一（即ち略同一）の値である場合も含む概念である。これにより、広告表示装置は、安定的に天井に対して吊り下げられる。
【００１０】
上記広告表示装置の他の一態様では、前記制御部及び前記電源部は、前記電子表示部と反対側の前記基板の面に設けられる。これにより、制御部及び電源部の存在が広告の妨げになるのを好適に抑制することができる。
【００１１】
上記広告表示装置の他の一態様では、前記基板は、広告紙を取り外し自在に保持する保持部を有し、前記電子表示部は、前記広告紙が前記保持部により保持された状態で前記広告紙と重ならない。この態様では、取り換え可能な広告紙の紙面と電子表示部による表示との両方を好適に観察者に視認させることができる。
【００１２】
上記広告表示装置の他の一態様では、前記基板は、前記広告紙を前記保持部により保持した状態で前記広告紙と接触する領域の少なくとも一部が粘着性を有する。この態様により、広告紙の差し替え時の位置合わせや貼り付け作業を容易にすることができる。
【００１３】
本発明のさらに別の観点では、上記記載の広告表示装置と、広告表示装置に取り付け自在な広告紙と、を有する広告表示媒体であって、前記基板は、広告紙を取り外し自在に保持する保持部を有し、前記広告紙は、前記保持部により保持された状態で前記電子表示部と重ならない形状を有する。
【００１４】
この態様では、広告表示装置は、電子表示部と重ならない形状を有する広告紙を保持する。これにより、広告表示媒体は、取り換え可能な広告紙の紙面と電子表示部による表示との両方を好適に観察者に視認させることができる。
【発明の効果】
【００１５】
本発明に係る広告表示装置は、比較的重量がある制御部と電源部とを、天井に近い基板の上部に配置することで、人や荷物に制御部及び電源部が衝突する可能性を低減すると共に、安定的に天井に対して吊り下げられる。
【図面の簡単な説明】
【００１６】
【図１】実施形態に係る中吊り広告媒体の正面図を示す。
【図２】中刷り広告媒体の分解図を示す。
【図３】中吊り広告媒体の断面図を示す。
【図４】基板の背面に設置された制御部及び電源部の配置及び配線を透過的に示した本体部の正面図である。
【図５】変形例に係る中吊り広告媒体の正面図を示す。
【発明を実施するための形態】
【００１７】
以下、図面を参照しながら、本発明を実施するのに好適な実施形態について説明する。
【００１８】
［中吊り広告媒体の構成］
図１は、本実施形態に係る中吊り広告媒体１００の正面図を示す。また、図２は、組み立て前の中吊り広告媒体１００の正面図を示す。さらに、図３は、図１に示す中吊り広告媒体１００の切断面ＡＢを矢印６０の方向から観察した断面図を示す。図１〜図３に示すように、中吊り広告媒体１００は、主に、電車やバスなどの公共交通機関の車両の天井に備え付けられた留め具１と、留め具１により天井に固定された本体部２と、本体部２に貼り付けられた広告紙３とを有する。
【００１９】
留め具１は、車両に予め備え付けられた中吊り広告の取付用部材である。留め具１は、図３に示すように、後述の本体部２の取付部２１をスリット部１１で挟み込むことにより、本体部２を保持する。留め具１は、例えばスリット部１１に挿入された状態の取付部２１を挟持するようにスリット部１１が開閉自在に構成されてもよく、スリット部１１に挿入された状態の取付部２１への締付圧力を調整自在な機構を有していてもよい。留め具１は、本実施形態に係る本体部２を取り付ける用途に限定されるものでなく、一般的な紙媒体の中吊り広告を設置するのに使用されるものであってもよい。
【００２０】
本体部２は、図２及び図３に示すように、主に、電子表示部４と、保持部５と、基板６と、制御部７と、電源部８とを有する。基板６は、例えばアクリル、プラスチック板、紙、又は木材により構成された長方形の板状部材である。基板６の上部には、広告紙３を保持するための保持部５が取り付けられている。保持部５は、広告紙３を保持するクリップ部５１と、広告紙３をクリップ部５１に挟み込む際の広告紙３の位置を規制するガイド部５２とを有する。広告紙３は、ガイド部５２に合わせてクリップ部５１と本体部２との間に差し込まれ、クリップ部５１と本体部２とに挟まれた状態で固定される。なお、クリップ部５１は、広告紙３の挿入が容易になるように、本体部２に対して開閉自在であってもよい。
【００２１】
また、保持部５の近傍以外の基板６の表面には、図２に示すように、弱粘着性領域２３が設けられている。弱粘着性領域２３は、弱性の粘着性材料が塗布された基板６の表面上の領域であり、広告紙３と面接触した状態で、広告紙３を取り外し可能に固定する。これにより、広告紙３の上部がクリップ部５１により固定されると共に、広告紙３の下部が弱粘着性領域２３に貼り付けられるため、広告紙３の全体が安定した状態で本体部２に取り付けられる。また、広告紙３の差し替え時での位置合わせや貼り付け作業が容易となる。
【００２２】
さらに、本体部２には、図２に示すように、留め具１に本体部２を取り付けるための取付部２１が設けられている。取付部２１は、保持部５から留め具１側に突き出た上端部分であり、留め具１に設けられたスリット部１１に挿入される。取付部２１には、所定間隔ごとに位置合わせ用の孔２２が設けられている。各孔２２は、図示しないスリット部１１内に孔２２と同一間隔で設けられた突起部に係合する。そして、各孔２２が上述の突起部に係合するように、スリット部１１内での取付部２１の位置合わせが行われる。
【００２３】
また、本体部２は、基板６の表面に形成された電子表示部４を有する。電子表示部４は、電気的に書き換え可能な表示媒体であり、好適には電子ペーパや有機ＥＬなどの可撓性を有する表示媒体である。電子表示部４は、本体部２に貼り付けられた広告紙３と共に中吊り広告媒体１００の表面を形成する。電子表示部４は、電源部８から供給される電力により駆動し、制御部７の制御に基づき、表示内容を変化させる。図３に示すように、制御部７及び電源部８は、電子表示部４と分離されており、電子表示部４の設置面と反対側の基板６の背面に取り付けられている。制御部７及び電源部８の配置については、後述する図４を参照して詳しく説明する。
【００２４】
広告紙３は、中吊り広告の内容が印刷された紙であり、例えば所定の周期により差し換えられる。広告紙３は、電子表示部４の形状に合わせて切り取られた開口部３１を有する。開口部３１は、広告紙３がクリップ部５１により所定の位置で固定された状態で、電子表示部４の全体を露出させる。図３の例では、広告紙３は、開口部３１が電子表示部４を嵌め込むように位置合わせされた状態で、本体部２に対して固定されている。
【００２５】
なお、本体部２は、本発明における「広告表示装置」の一例であり、中吊り広告媒体１００は、本発明における「広告表示媒体」の一例である。
【００２６】
［制御部及び電源部の設置位置］
次に、制御部７及び電源部８の設置位置について図４を参照して説明する。図４は、基板６の背面に設置された制御部７及び電源部８の配置及び配線を透過的に示した本体部２の正面図である。なお、図４の破線「Ｌｖ」は、本体部２の長手方向（即ち横方向）の中央位置を示す基準線であり、破線「Ｌｈ」は、本体部２の短手方向（即ち縦方向又は吊り下げ方向）の中央位置を示す基準線である。
【００２７】
図４に示すように、制御部７及び電源部８は、電子表示部４と分離して配置されており、かつ、基準線Ｌｈよりも上方に配置されている。具体的には、制御部７及び電源部８は、クリップ部５１と隣接した位置、言い換えるとクリップ部５１の近傍に設けられている。このように、本体部２の構成要素のうち、比較的重量がある制御部７及び電源部８は、基板６の上部に配置される。これにより、乗客の頭部が本体部２に接触した場合であっても、制御部７及び電源部８との衝突を確実に防ぐことができる。なお、電子表示部４及び基板６は可撓性がある部材又は軽量部材により構成されているため、乗客の頭部が仮に本体部２に接触した場合であっても衝撃が小さい。また、制御部７及び電源部８が本体部２を保持する留め具１の近傍に配置されることで、留め具１により本体部２が保持された際の安定性が向上する。
【００２８】
さらに、制御部７及び電源部８は、本体部２の重心が基準線Ｌｖ上になるように、即ち基準線Ｌｖで本体部２を左右に分けた場合の重量が均等となるように配置される。具体的には、基準線Ｌｖに対して左右対称である保持部５及び基板６以外の電子表示部４、制御部７、及び電源部８の各重量及び基準線Ｌｖとの各距離を勘案し、制御部７及び電源部８の横方向における配置を決定する。図４の例では、制御部７よりも重い電源部８を基準線Ｌｖよりも左側に配置し、制御部７を電子表示部４と同様に基準線Ｌｖよりも右側に配置している。このように、本体部２の重量が左右均等になるように制御部７及び電源部８を配置することで、留め具１により支持される本体部２の安定性を向上させることができる。
【００２９】
［本実施形態に係る中吊り広告媒体の作用効果］
本実施形態に係る中吊り広告媒体１００は、動的な表示変化が可能な電子表示部４を利用することで、従来の紙媒体の中吊り広告と比較してより多様で宣伝効果が高い広告を行うことができる。このとき、中吊り広告媒体１００は、重量がある制御部７及び電源部８が本体部２の上部に配置されることにより、制御部７及び電源部８の乗客や荷物への衝突を抑制すると共に、本体部２を安定的に留め具１に取り付けることができる。また、本体部２は、左右の重量が均等になるように制御部７及び電源部８が配置されることにより、留め具１に取り付けられた際の安定性が高い。
【００３０】
また、中吊り広告媒体１００では、広告内容が印刷された広告紙３が、電子表示部４等が設置された本体部２に対して取り外し可能になっている。これにより、広告紙３を貼り替える作業により、留め具１に取り付けられた本体部２を繰り返し利用して広告内容を適宜変更することができる。また、基板６に弱粘着性領域２３を設けることで、広告紙３が安定的に本体部２に取り付けられると共に、広告紙３の差し替え時での位置合わせや貼り付け作業が容易となる。
【００３１】
なお、本実施形態の中吊り広告媒体１００によれば、従来の紙媒体の中吊り広告で使用される留め具１を使用するため、車両側の改造が不要である。
【００３２】
［変形例］
次に、実施形態の変形例について説明する。
【００３３】
中吊り広告媒体１００は、本体部２に取り付ける広告紙３を有していた。これに代えて、中吊り広告媒体１００は、広告紙３を有しなくともよい。
【００３４】
図５は、変形例に係る中吊り広告媒体１００Ａの正面図を示す。図５の例では、中吊り広告媒体１００Ａは、留め具１と、本体部２とを有し、本体部２の基板６の表面の大部分を覆うように電子表示部４が設けられている。そして、電子表示部４は、基板６の背面に設けられた図示しない制御部７に基づき表示内容が制御される。図５の例では、電子表示部４は、広告紙３に印刷された広告内容を左側に表示し、当該広告内容に関連する動画又は静止画を右側に表示している。そして、図示しない制御部７及び電源部８は、電子表示部４と分離して配置されており、かつ、留め具１の近傍である基板６の上部に配置される。また、制御部７及び電源部８は、本体部２の重量が左右均等となるように配置される。
【００３５】
この態様によれば、中吊り広告媒体１００Ａは、広告紙３を取り換える作業を要することなく、広告すべき内容を適宜変更して表示することができる。
【符号の説明】
【００３６】
１…留め具
２…本体部
３…広告紙
４…電子表示部
５…保持部
６…基板
７…制御部
８…電源部
２３…弱粘着性領域
５１…クリップ部
５２…ガイド部
１００、１００Ａ…中吊り広告媒体
【図１】
0006524871.tif 000002
【図２】
0006524871.tif 000003
【図３】
0006524871.tif 000004
【図４】
0006524871.tif 000005
【図５】
0006524871.tif 000006